(57)【要約】【課題】キャップの汚れを低減して綺麗な状態を保つことができるとともに、蓋が不意に開くこと及び振り出し口が詰まることをそれぞれ防止し、さらに、密封性を高め、がたつきも抑えることができる振り出し容器用キャップを提供することを目的とする。【解決手段】容器本体３の口部に取り付けられ、容器本体３内の内容物を振り出すための振り出し口４７が設けられた筒形状のキャップ本体４と、キャップ本体４の天板部４１に、キャップ軸の垂直面に沿って延在する回転軸５０、５０周りに回転可能に取り付けられ、振り出し口４７を開閉する蓋体５と、を備える振り出し容器用キャップ１において、振り出し口４７に対向する蓋体５の裏面に係合筒５４が突設されるとともに、係合筒５４に係合する被係合部４６がキャップ本体４に設けられ、被係合部４６に振り出し口４７が設けられている。【選択図】図１
2008189318.tif 000002
【特許請求の範囲】
【請求項１】
容器本体の口部に取り付けられ、前記容器本体内の内容物を振り出すための振り出し口が設けられた筒形状のキャップ本体と、
該キャップ本体の天板部に、キャップ軸の垂直面に沿って延在する回転軸周りに回転可能に取り付けられ、前記振り出し口を開閉する蓋体と、
を備える振り出し容器用キャップにおいて、
前記振り出し口に対向する前記蓋体の裏面に係合筒が突設されるとともに、該係合筒に係合する被係合部が前記キャップ本体に設けられ、前記被係合部に前記振り出し口が設けられていることを特徴とする振り出し容器用キャップ。
【請求項２】
請求項１記載の振り出し容器用キャップにおいて、
前記被係合部が、底部に前記振り出し口を有する有底穴であり、
該被係合部の中に前記係合筒が挿嵌されて該係合筒と前記被係合部とが係合されることを特徴とする振り出し容器用キャップ。
【請求項３】
請求項１記載の振り出し容器用キャップにおいて、
前記被係合部が、頂部に前記振り出し口を有する突起であり、
該被係合部が前記係合筒の中に挿嵌されて該係合筒と前記被係合部とが係合されることを特徴とする振り出し容器用キャップ。
【請求項４】
請求項３記載の振り出し容器用キャップにおいて、
前記被係合部が、前記蓋体の回転軸方向に開放された平面上に設けられていることを特徴とする振り出し容器用キャップ。
【発明の詳細な説明】
【技術分野】
【０００１】
本発明は、容器本体の口部に取り付けられるキャップであって、振る動作によって容器本体内の内容物を外に出す振り出し容器に用いられる振り出し容器用キャップに関する。
【背景技術】
【０００２】
従来より、粉状或いは顆粒状の内容物を収容する容器として振り出し容器がある。振り出し容器は、容器本体の口部に取り付けられたキャップに、複数の貫通穴からなる振り出し口が設けられた構成となっている。このような振り出し容器では、容器を下向き或いは横向きにした状態で容器を繰り返し振ることで、振り出し口から容器内の内容物が振り出される。
【０００３】
また、振り出し容器用のキャップには、振り出し口を塞ぐための蓋が取り付けられているものが多い。蓋としては、キャップ本体に回転可能に取り付けられて上向きに開く蓋体がある。この蓋体が閉められると、蓋体が振り出し口を覆って塞がれる（例えば、特許文献１参照。）。
【特許文献１】特開平１１−７９２１７号公報
【発明の開示】
【発明が解決しようとする課題】
【０００４】
しかしながら、上記した従来の振り出し容器用キャップでは、内容物の振り出し時に、振り出した内容物が振り出し口の周りの平面部分に付着して残存する。したがって、何度か使うと、振り出し口周りが残存した内容物で汚くなるという問題が生じる。また、振り出し口周りに内容物が残存していると、蓋を閉めても完全に閉まらず、不意に開くおそれがある。さらに、振り出し口周りに内容物が残存していると、湿気等によって固まった残存物が振り出し口に詰まるおそれがある。
【０００５】
また、上記した従来の振り出し容器用キャップでは、振り出し口が形成された平面部に平らの蓋を載せただけの構成で振り出し口に蓋をしているため、蓋ががたつき易く、また、密封性が低く、容器内の内容物が湿気等で固まり易いという問題がある。特に、振り出し口周りに内容物が残存していると、密封性は更に低下する。
【０００６】
本発明は、上記した従来の問題が考慮されたものであり、キャップの汚れを低減して綺麗な状態を保つことができるとともに、蓋が不意に開くこと及び振り出し口が詰まることをそれぞれ防止し、さらに、密封性を高め、がたつきも抑えることができる振り出し容器用キャップを提供することを目的としている。
【課題を解決するための手段】
【０００７】
本発明に係る振り出し容器用キャップは、容器本体の口部に取り付けられ、前記容器本体内の内容物を振り出すための振り出し口が設けられた筒形状のキャップ本体と、該キャップ本体の天板部に、キャップ軸の垂直面に沿って延在する回転軸周りに回転可能に取り付けられ、前記振り出し口を開閉する蓋体と、を備える振り出し容器用キャップにおいて、前記振り出し口に対向する前記蓋体の裏面に係合筒が突設されるとともに、該係合筒に係合する被係合部が前記キャップ本体に設けられ、前記被係合部に前記振り出し口が設けられていることを特徴としている。
【０００８】
このような特徴により、蓋体を開けて、振り出し口から内容物を振り出したとき、被係合部にだけ内容物が付着し、被係合部の周りの部分には内容物が付着し難くなる。このように内容物の付着が被係合部に限られることで、内容物が残存する範囲の面積が小さくなり、振り出し口周りに残存する内容物の量が低減される。一方、蓋体を閉めると、係合筒と被係合部が係合されて振り出し口が塞がれる。このとき、被係合部以外の部分に内容物が残存していないため、蓋体は完全に閉められる。また、係合筒が被係合部に係合されているため、開閉方向以外の蓋体の動きは規制される。
【０００９】
また、本発明に係る振り出し容器用キャップは、前記被係合部が、底部に前記振り出し口を有する有底穴であり、該被係合部の中に前記係合筒が挿嵌されて該係合筒と前記被係合部とが係合されることが好ましい。
【００１０】
これにより、蓋体を開けて振り出し口から内容物を振り出したとき、被係合部の内面に内容物が付着し、被係合部の周りの部分には内容物が付着せず内容物が残存しなくなる。一方、蓋体を閉めると、被係合部の中に係合筒が挿嵌される。このとき、振り出し口は、係合筒が挿嵌された被係合部の底部にあり、挿嵌された係合筒により塞がれる。
【００１１】
また、本発明に係る振り出し容器用キャップは、前記被係合部が、頂部に前記振り出し口を有する突起であり、該被係合部が前記係合筒の中に挿嵌されて該係合筒と前記被係合部とが係合される構成としてもよい。
【００１２】
これにより、蓋体を開けて振り出し口から内容物を振り出したとき、突起状の被係合部の頂部表面に内容物が付着し、それ以外の部分には内容物が付着しなくなる。一方、蓋体を閉めると、突起状の被係合部に係合筒が被せられ、被係合部に係合筒が外装された状態となる。このとき、振り出し口は、係合筒が被せられた被係合部の頂部にあり、外装された係合筒により塞がれる。
【００１３】
また、この振り出し容器用キャップの場合、前記突起状の被係合部が、前記蓋体の回転軸方向に開放された平面上に設けられていることが好ましい。
【００１４】
これにより、仮に、突起状の被係合部の周りに内容物が付着した場合であっても、容易に掃うことが可能であり、被係合部の周りに内容物が溜まることがない。
【発明の効果】
【００１５】
本発明に係る振り出し容器用キャップによれば、被係合部以外の部分に内容物が残存し難いため、振り出し容器用キャップの汚れが低減されて綺麗な状態を保つことができる。また、蓋体を閉めたとき、蓋体が完全に閉められるため、蓋体が不意に開くことを防止することができる。また、蓋体が閉じられたとき、蓋体に設けられた係合筒がキャップ本体に設けられた被係合部に係合されているため、被係合部に設けられた振り出し口の部分の密封性を高めることができる。これによって、容器内の内容物が湿気等によって固化することを抑制することができる。また、蓋体に設けられた係合筒がキャップ本体に設けられた被係合部に係合されることで、閉じられた蓋体のがたつきを抑えることができる。また、内容物が残存する範囲が被係合部だけであり、振り出し口周りに残存する内容物の量が低減されるため、残存した内容物による振り出し口の目詰まりが起こり難くなる。しかも、上述したように係合筒と被係合部とが係合されて密封性が高いため、被係合部に残存した内容物は固まり難い。このため、被係合部に内容物が残存していても目詰まりが起こり難い。
【発明を実施するための最良の形態】
【００１６】
以下、本発明に係る振り出し容器用キャップの第１、第２、第３の実施の形態について、図面に基いて説明する。なお、以下に説明する実施の形態においては、振り出し容器用キャップ１からみて容器本体３がある方向、つまり、図１における下方側を「キャップ開放端側」とし、その反対側、つまり、図１における上方側を「キャップ基端側」とする。
【００１７】
［第１の実施の形態］
まず、本発明の第１の実施の形態である振り出し容器用キャップ１ついて説明する。図１は振り出し容器用キャップ１が取り付けられた振り出し容器２の斜視図であり、図２は振り出し容器用キャップ１を表す斜視図であり、図３は振り出し容器用キャップ１を表す平面図であり、図４は振り出し容器用キャップ１を表す断面図である。
【００１８】
図１〜図４に示すように、振り出し容器用キャップ１は、粉状或いは顆粒状の内容物を収容する容器本体３に装着されるキャップであり、容器本体３の円筒形状の口部３０に被せるように取り付けられる略円筒形状のキャップ本体４と、キャップ本体４の天板部４１に、キャップ軸Ｏの仮想垂直面に沿って延在する回転軸５０、５０周りに回転可能に取り付けられた蓋体５とから構成されている。上記した容器本体３の口部３０は、その下の胴部３１よりも細くなっており、キャップ本体４の外周面と容器本体３の胴部３１外周面とは略面一になっている。
【００１９】
［キャップ本体］
キャップ本体４は、例えば合成樹脂などからなる部材であって、天板部４１と、天板部４１の外周縁に垂設された外筒部４０と、天板部４１の裏面に垂設された内筒部４２とを備えた構成からなる。
【００２０】
外筒部４０の内周面には、雌ネジ部４０ａが形成されている。この雌ネジ部４０ａが容器本体３の口部３０に形成された雄ネジ部３０ａに螺着することによって、振り出し容器用キャップ１が容器本体３に取り付けられている。
【００２１】
天板部４１は、縦断面弓形に湾曲したドーム状に形成されている。この天板部４１には、天板部４１の中央を横断するように蓋体５の回転軸５０、５０に直交する方向に延びている窪み部４３が形成されている。また、窪み部４３のうちの一方側（後述する振り出し口４７が設けられた側、つまり、図３では左側）の半分は、蓋体５の厚さ分程度だけ凹んだ浅凹部４４となっており、他方側（上述した一方側の反対側、つまり、図３では右側）の残りの半分は、浅凹部４４よりも深く凹んだ深凹部４５となっている。
【００２２】
浅凹部４４は、対向配置された側壁部４４ａ、４４ａと、側壁部４４ａ、４４ａ間に設けられた底壁部４４ｂとによって形成されている。底壁部４４ｂは、後述する閉じられた蓋体５の裏面に沿って傾斜した形状になっている。この浅凹部４４の底壁部４４ｂには、穴状の被係合部（以下、被係合穴４６と記す。）が形成されている。この被係合穴４６は、容器本体３のキャップ軸Ｏと平行に延在する円筒状の有底穴であり、その底部４６ａには複数の貫通穴４７ａ…からなる振り出し口４７が形成されている。また、被係合穴４６のキャップ径方向の位置は、内筒部４２の内側の位置にあり、振り出し口４７（貫通穴４７ａ…）が内筒部４２の内部空間に開放されている。
【００２３】
また、深凹部４５は、対向配置された側壁部４５ａ、４５ａと、側壁部４５ａ、４５ａ間に設けられているとともに浅凹部４４の底壁部４４ｂからキャップ開放端側に延在された垂れ壁部４５ｂと、側壁部４５ａ、４５ａ間に設けられているとともに垂れ壁部４５ｂからキャップ開放端側に斜めに延在された斜壁部４５ｃと、側壁部４５ａ、４５ａ間に設けられているとともに斜壁部４５ｃからキャップ径方向に延在された底壁部４５ｄとによって形成されている。
【００２４】
内筒部４２は、外筒部４０よりも径が小さい略円筒形状の部位であり、外筒部４０の内部に設けられている。この内筒部４２は、深凹部４５のところで切り欠かれており、その切り欠かれた部分で深凹部４５を両側から挟み込むように深凹部４５の側壁部４５ａ、４５ａに一体化されている。また、内筒部４２は、外筒部４０と同軸に配設されており、容器本体３のキャップ軸Ｏに沿って延在されている。内筒部４２の下端面は、容器本体３の口部３０端面に当接されており、容器本体３の口部３０上に内筒部４２が支持された状態となっている。なお、内筒部４２の径が口部３０の径よりも小さく、内筒部４２の下端部が口部３０の内側に嵌合された構成であってもよい。また、内筒部４２の下端部が、段状に形成され、口部３０の内側に嵌合されるとともに口部３０上に支持された構成であってもよい。
【００２５】
［蓋体］
蓋体５は、上記した振り出し口４７を覆って塞ぐための板状の蓋であり、回転軸５０、５０周りに回転して振り出し口４７を開閉する蓋である。図２に示すように、閉じた状態の蓋体５は、一方向に延在する天板部４１の窪み部４３に嵌合されており、天板部４１及び外筒部４０の表面と面一になる。すなわち、閉じた状態の蓋体５は、キャップ本体４の一方側から他方側まで天板部４１の表面に沿って延在し、他方側のところでキャップ開放端側に屈曲して外筒部４０の表面に沿って延在されている。そして、外筒部４０に沿って延在した部分のキャップ開放端側の端部５ａは、キャップ本体４の外筒部４０に一体化されている。つまり、蓋体５は、キャップ本体４と一体に成形されてキャップ本体４と繋げられている。
【００２６】
また、蓋体５の回転軸５０、５０は、深凹部４５の側壁部４５ａ、４５ａに軸支されている。また、キャップ本体４に繋げられた上記蓋体５のキャップ開放端側の端部５ａは、他よりも板厚が薄く、折れ曲がり可能な薄肉部５１となっている。また、前記薄肉部５１と上記した回転軸５０、５０との間の位置には、同じく他よりも板厚が薄く折れ曲がり可能な薄肉部５２が形成されている。さらに、深凹部４５に嵌め込まれた他方側の部分５ｂの表面には、指で押すための押圧部５３が突設されている。
【００２７】
押圧部５３が深凹部４５の内方に押されると、２つの薄肉部５１、５２がそれぞれ折れ曲がり、蓋体５の他方側の部分５ｂが深凹部４５の内部に沈み込む。これに伴い、蓋体５の一方側の部分５ｃは、回転軸５０、５０を中心にキャップ軸Ｏ方向の上方に回転する。このようにして、閉じた状態の蓋体５が開けられて振り出し口４７を開口させる。
【００２８】
また、蓋体５が閉じられたときに浅凹部４４の底壁部４４ｂ表面に対向する蓋体５の一方側の部分５ｃの裏面には、円筒形状の係合筒５４が突設されている。この係合筒５４は、蓋体５が閉じられた状態のときにキャップ本体４の被係合穴４６に対向する位置に配設されている。また、係合筒５４の外径は、キャップ本体４の被係合穴４６の内径とほぼ等しい。したがって、蓋体５が閉じられると、被係合穴４６の中に係合筒５４が挿嵌され、係合筒５４と被係合穴４６とが係合される。一方、蓋体５が開けられると、上記した係合筒５４は、キャップ軸Ｏ方向の上方に向けて立ち上がる蓋体５の一方側の部分５ｃとともに移動し、被係合穴４６内から引き抜かれる。
【００２９】
また、係合筒５４の内側には、蓋体５の裏面から突設された複数のピン５５…が配設されている。これらのピン５５…は、蓋体５が閉じられたとき、振り出し口４７の貫通穴４７ａ…にそれぞれ挿入される。なお、このピン５５…に代えて栓を用いて、この栓を貫通穴４７ａ…に嵌合させ、貫通穴４７ａ…を閉塞させてもよい。また、蓋体５が開けられると、各貫通穴４７ａ…内に挿入された複数のピン５５…は、キャップ軸Ｏ方向の上方に向けて立ち上がる蓋体５の一方側の部分５ｃとともに移動し、貫通穴４７ａ…内から引き抜かれる。
【００３０】
このように蓋体５が開けられると、被係合穴４６が開放されるとともに各貫通穴４７ａ…がそれぞれ開放される。このような状態で、振り出し容器２の頭部（振り出し容器用キャップ１）を横向き或いは下向きにし、振り出し容器２を繰り返し振る動作を行うと、振り出し口４７（各貫通穴４７ａ…）から容器本体３内の内容物が振り出される。
【００３１】
上記した構成からなる振り出し容器用キャップ１によれば、振り出し口４７から内容物を振り出す際、被係合穴４６の内部に内容物が付着するが、それ以外の部分、つまり、浅凹部４４の底壁部４４ｂ表面に内容物が付着し難い。このため、浅凹部４４の底壁部４４ｂ表面に内容物が残存しない。このため、振り出し容器用キャップ１の汚れが低減されて綺麗な状態を保つことができる。また、浅凹部４４に内容物が残存しないため、蓋体５を完全に閉めることができる。これにより、蓋体５が不意に開くことを防止することができ、容器本体３内の内容物のこぼれを防止することができる。
【００３２】
また、蓋体５が閉じられたとき、蓋体５に設けられた係合筒５４がキャップ本体４に設けられた被係合穴４６内に挿嵌されて係合されるため、被係合穴４６の底部４６ａに設けられた振り出し口４７の部分の密封性を高めることができる。これによって、容器本体３内の内容物が湿気等によって固化することを抑制することができる。また、蓋体５に設けられた係合筒５４がキャップ本体４に設けられた被係合穴４６内に挿嵌されて係合されることで、閉じられた蓋体５のがたつきを抑えることができる。
【００３３】
また、内容物が残存する範囲が被係合穴４６の中だけであり、振り出し口４７周りに残存する内容物の量が低減されるため、残存した内容物による振り出し口４７の目詰まりが起こり難くなる。しかも、被係合穴４６の中に係合筒５４が挿嵌されることで密封性が高くなっているため、被係合穴４６内に残存した内容物は固まり難い。したがって、被係合穴４６内に内容物が残存していても目詰まりが起こり難い。
【００３４】
［第２の実施の形態］
次に、本発明の第２の実施の形態である振り出し容器用キャップ１０１ついて説明する。図５は振り出し容器用キャップ１を表す斜視図であり、図６は振り出し容器用キャップ１０１を表す断面図である。なお、上述した第１の実施の形態と同様の構成については、同一の符号を付してその説明を省略する。
【００３５】
図５、図６に示すように、窪み部４３の浅凹部１４４は、蓋体５の厚さ分よりも深いが深凹部４５よりも浅い窪みである。浅凹部１４４と深凹部４５との間には、両者を隔てる隔壁１４８が設けられている。浅凹部１４４の底壁部１４４ｂは、平らに形成されており、キャップ本体４の径方向に延在されている。この浅凹部１４４の底壁部１４４ｂには、突起状の被係合部（以下、被係合突起１４６と記す。）が形成されている。この被係合突起１４６は、容器本体３のキャップ軸Ｏと平行に延在する円筒状の突起であり、その頂部１４６ａは、閉じられた蓋体５の裏面に沿って傾斜した形状になっている。また、この頂部１４６ａには、複数の貫通穴４７ａ…からなる振り出し口４７が形成されている。
【００３６】
一方、蓋体５の一方側の部分５ｃの裏面に突設された円筒形状の係合筒１５４は、蓋体５が閉じられた状態のときに被係合突起１４６に対向する位置に配設されている。また、係合筒１５４の内径は、被係合突起１４６の外径とほぼ等しい。したがって、蓋体５が閉じられると、被係合突起１４６に係合筒１５４が被せられて外装された状態となり、被係合突起１４６と係合筒１５４とが係合される。一方、蓋体５が開けられると、上記した係合筒１５４は、キャップ軸Ｏ方向の上方に向けて立ち上がる蓋体５とともに移動し、被係合突起１４６から外される。
【００３７】
上記した構成からなる振り出し容器用キャップ１０１によれば、振り出し口４７から内容物を振り出す際、被係合突起１４６の頂部１４６ａに内容物が付着するが、それ以外の部分、つまり、浅凹部１４４内等に内容物が付着し難く、内容物が残存する場合が少ない。このため、上述した第１の実施の形態と同様に、振り出し容器用キャップ１０１を綺麗な状態を保つことができるとともに、蓋体５が不意に開くことを防止することができる。
【００３８】
また、蓋体５が閉じられたとき、蓋体５に設けられた係合筒１５４がキャップ本体４に設けられた被係合突起１４６に被されて係合されるため、上述した第１の実施の形態と同様に、被係合突起１４６の頂部１４６ａに設けられた振り出し口４７の部分の密封性を高めることができるとともに、閉じられた蓋体５のがたつきを抑えることができる。
【００３９】
また、内容物が残存する範囲が被係合突起１４６の頂部１４６ａだけであり、振り出し口４７周りに残存する内容物の量が低減されるため、上述した第１の実施の形態と同様に、振り出し口４７の目詰まりが起こり難くなる。
【００４０】
［第３の実施の形態］
次に、本発明の第３の実施の形態である振り出し容器用キャップ２０１ついて説明する。図７は振り出し容器用キャップ１を表す斜視図である。なお、上述した第１、第２の実施の形態と同様の構成については、同一の符号を付してその説明を省略する。
【００４１】
図７に示すように、天板部４１には、平面視半円形状の段部２４４と、断面凹形状の深凹部４５とが形成されている。段部２４４は、断面Ｌ字状に形成された部位であり、回転軸５０、５０の延在方向に延びた側壁部２４４ａと、キャップ本体４の径方向に延在する平面状の底壁部２４４ｂとにより形成されている。段部２４４の円弧部分は開放されており、段部２４４は回転軸５０、５０の延在方向に開放されている。この底壁部２４４ｂ上には、突起状の被係合突起１４６が形成されている。つまり、突起状の被係合突起１４６は、回転軸５０、５０の延在方向に開放された平面上に設けられている。
一方、蓋体２０５の一方側の部分２０５ｃは、半円形状の段部２４４に嵌合されるように形成されており、段部２４４と同様に半円形状に形成されている。
【００４２】
上記した構成からなる振り出し容器用キャップ２０１によれば、上述した第２の実施の形態の作用効果を奏する。また、仮に、被係合突起１４６の周りの段部２４４に内容物が付着した場合であっても、この段部２４４は回転軸５０、５０の延在方向に開放されているため、付着した内容物を容易に掃うことが可能である。このため、被係合突起１４６の周りに内容物が残存することを防止することができる。
【００４３】
以上、本発明に係る振り出し容器用キャップの実施の形態について説明したが、本発明は上記した実施の形態に限定されるものではなく、その趣旨を逸脱しない範囲で適宜変更可能である。例えば、上記した実施の形態では、キャップ本体４の外筒部４０と容器本体３の口部３０とを螺合させることで、容器本体３に振り出し容器用キャップ１を装着させているが、本発明は、他の構造で振り出し容器用キャップ１を容器本体３に装着させることも可能である。例えば、キャップ本体４の外筒部４０に爪部を形成し、容器本体３の口部３０に形成された凸部または凹部に前記爪部を引っ掛けて固定させる構成により、振り出し容器用キャップ１を容器本体３に装着させることも可能である。
【００４４】
また、上記した実施の形態では、蓋体５の開閉構造が、蓋体５に設けられた押圧部５３を深凹部４５の内部側に押すことで、蓋体５に形成された２つの薄肉部５１、５２がそれぞれ折れ曲がるとともに蓋体５の一方側の部分５ｃがキャップ軸Ｏ方向の上方に向けて立ち上がり、蓋体５が開けられる構成になっているが、本発明は、上記した蓋体５の開閉構造に限定されない。例えば、蓋体の一方側の端部に指先などを引っ掛けることができる部位を形成するとともに蓋体の他方側の端部にヒンジ（回転軸）を設け、蓋体の一方側の端部を指先などでキャップ軸Ｏ方向の上方に向けて持ち上げることで開けられる構成であってもよい。
【００４５】
また、上記した実施の形態では、回転軸５０、５０が、キャップ本体４の天板部４１の中央部分に配設されているとともに、閉じられた蓋体５の延在方向に直交する方向に延びているが、本発明の回転軸は、キャップ軸Ｏの仮想垂直面に沿って延在するものであればよく、回転軸の向きや位置は限定されない。例えば、回転軸は、キャップ本体４の天板部４１の外周縁部分に配設されていてもよい。
その他、本発明の主旨を逸脱しない範囲で、上記した実施の形態における構成要素を周知の構成要素に置き換えることは適宜可能であり、また、上記した変形例を適宜組み合わせてもよい。
【図面の簡単な説明】
【００４６】
【図１】本発明の第１の実施の形態を説明するための振り出し容器用キャップを備えた振り出し容器を表した斜視図である。
【図２】本発明の第１の実施の形態を説明するための閉じられた状態の振り出し容器用キャップを表した斜視図である。
【図３】本発明の第１の実施の形態を説明するための閉じられた状態の振り出し容器用キャップを表した平面図である。
【図４】本発明の第１の実施の形態を説明するための振り出し容器用キャップを表した断面図である。
【図５】本発明の第２の実施の形態を説明するための振り出し容器用キャップを表した斜視図である。
【図６】本発明の第２の実施の形態を説明するための振り出し容器用キャップを表した断面図である。
【図７】本発明の第３の実施の形態を説明するための振り出し容器用キャップを表した斜視図である。
【符号の説明】
【００４７】
１  振り出し容器用キャップ
３  容器本体
４  キャップ本体
５  蓋体
３０  口部
４６  被係合穴（被係合部）
４６ａ  底部
４７  振り出し口
５０  回転軸
５４  係合筒
１０１  振り出し容器用キャップ
１４６  被係合突起（被係合部）
１４６ａ  頂部
１５４  係合筒
２０１  振り出し容器用キャップ
２０５  蓋体
【図１】
2008189318.tif 000003
【図２】
2008189318.tif 000004
【図３】
2008189318.tif 000005
【図４】
2008189318.tif 000006
【図５】
2008189318.tif 000007
【図６】
2008189318.tif 000008
【図７】
2008189318.tif 000009